【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
乗物用シートに着座している着座者の身体状態を矯正するために動作する動作部と、
前記身体状態を特定するための指標の現在値を測定する測定部と、
該測定部が測定した前記現在値から前記着座者の身体状態を判定する判定部と、
該判定部が判定した前記着座者の身体状態に基づいて、現在の前記身体状態に関する将来的なリスクの情報を提示する提示部と、を有することを特徴とする状態矯正ユニット。
【請求項２】
前記提示部は、前記判定部が判定した前記着座者の身体状態に基づいて、現在の前記身体状態に関する要因の情報を提示することを特徴とする請求項１に記載の状態矯正ユニット。
【請求項３】
情報を画面に表示する情報表示部を有し、
前記情報表示部は、前記乗物用シートと前記判定部が判定した前記着座者の身体状態とを示す画像情報を前記画面に表示することを特徴とする請求項１又は２に記載の状態矯正ユニット。
【請求項４】
前記画面には現在の前記身体状態に関する前記将来的なリスクの情報が表示され、
前記動作部に前記着座者の身体状態を矯正させることを指示するための補正開始用ボタンが、前記将来的なリスクの情報と共に前記画面に表示されていることを特徴とする請求項３に記載の状態矯正ユニット。
【請求項５】
前記測定部が過去に測定した前記身体状態を特定するための指標の測定値を記憶する記憶部と、
今回測定した前記現在値と過去に測定した前記測定値とを比較する比較部と、を備え、
前記情報表示部は、前記比較部が前記現在値と前記測定値とを比較したことによる姿勢矯正の効果の情報を前記画面に表示することを特徴とする請求項３又は４に記載の状態矯正ユニット。
【請求項６】
現在の着座姿勢のままで安定させるよう前記動作部を動作させる安楽補正モードと、現在の着座姿勢を理想姿勢になるように矯正するよう前記動作部を動作させる理想補正モードと、が設定されていて、
前記情報表示部は、前記動作部を安楽補正モードで動作させるか、又は、理想補正モードで動作させるかを選択可能なボタンを前記画面に表示することを特徴とする請求項３乃至５のいずれか一項に記載の状態矯正ユニット。
【請求項７】
前記情報表示部は、理想姿勢と前記身体状態の矯正内容とを示す情報を前記画面に表示することを特徴とする請求項３乃至６のいずれか一項に記載の状態矯正ユニット。
【請求項８】
前記動作部は、前記着座者の身体状態を矯正するために膨出して前記着座者を押圧する複数の空気袋からなり、
前記身体状態の矯正内容を示す矯正プランを記憶しているプラン記憶部と、
前記動作部を制御して前記身体状態を矯正する処理を実行する処理実行部と、
前記複数の空気袋の各々の膨出圧を測定する膨出圧センサと、
前記複数の空気袋の各々の前面に設置され、前記乗物用シートに掛る圧力を測定する圧力センサと、を有し、
前記複数の空気袋の各々は、前記乗物用シートに前記着座者が着座する前段階において、予め設定された膨出圧となるまで膨出し、
前記測定部は、前記膨出圧センサにより、前記乗物用シートに前記着座者が着座することで変化する前記膨出圧を前記指標として前記膨出圧の前記現在値を測定し、
前記測定部は、前記圧力センサにより、前記乗物用シートに前記着座者が着座することで変化する前記圧力を前記指標として前記圧力の前記現在値を測定し、
前記判定部は、前記複数の前記空気袋の各々における前記膨出圧の前記現在値と、前記乗物用シートに掛る前記圧力の前記現在値とから前記身体状態を判定し、
前記提示部は、前記現在値に応じた前記矯正プランを前記プラン記憶部から読み出して前記着座者に対して提示し、
前記処理実行部は、読み出した前記矯正プランが示す前記矯正内容に従って、前記身体状態を矯正する前記処理を実行することを特徴とする請求項１乃至７のいずれか一項に記載の状態矯正ユニット。
【手続補正２】
【補正対象書類名】明細書
【補正対象項目名】０００９
【補正方法】変更
【補正の内容】
【０００９】
前記課題は、本発明の状態矯正ユニットによれば、乗物用シートに着座している着座者の身体状態を矯正するために動作する動作部と、前記身体状態を特定するための指標の現在値を測定する測定部と、該測定部が測定した前記現在値から前記着座者の身体状態を判定する判定部と、該判定部が判定した前記着座者の身体状態に基づいて、現在の身体状態に関する将来的なリスクの情報を提示する提示部と、を有することにより解決される。
【手続補正３】
【補正対象書類名】明細書
【補正対象項目名】００１０
【補正方法】変更
【補正の内容】
【００１０】
本発明の状態矯正ユニットによれば、シート着座者の個性に適した矯正内容にてシート着座者の身体状態を適切に矯正することが可能となる。
【手続補正４】
【補正対象書類名】明細書
【補正対象項目名】００１１
【補正方法】変更
【補正の内容】
【００１１】
また、上記の状態矯正ユニットにおいて、前記提示部は、前記判定部が判定した前記着座者の身体状態に基づいて、現在の前記身体状態に関する要因の情報を提示すると、好適である。
【手続補正５】
【補正対象書類名】明細書
【補正対象項目名】００１２
【補正方法】変更
【補正の内容】
【００１２】
また、上記の状態矯正ユニットにおいて、情報を画面に表示する情報表示部を有し、前記情報表示部は、前記乗物用シートと前記判定部が判定した前記着座者の身体状態とを示す画像情報を前記画面に表示すると、より好適である。
【手続補正６】
【補正対象書類名】明細書
【補正対象項目名】００１３
【補正方法】変更
【補正の内容】
【００１３】
また、上記の状態矯正ユニットにおいて、前記画面には現在の前記身体状態に関する前記将来的なリスクの情報が表示され、前記動作部に前記着座者の身体状態を矯正させることを指示するための補正開始用ボタンが、前記将来的なリスクの情報と共に前記画面に表示されていると、さらに好適である。
【手続補正７】
【補正対象書類名】明細書
【補正対象項目名】００１４
【補正方法】変更
【補正の内容】
【００１４】
また、上記の状態矯正ユニットにおいて、前記測定部が過去に測定した身体状態を特定するための指標の測定値を記憶する記憶部と、今回測定した前記現在値と過去に測定した前記測定値とを比較する比較部とを備え、前記情報表示部は、前記比較部が前記現在値と前記測定値とを比較したことによる姿勢矯正の効果の情報を前記画面に表示するとよい。
【手続補正８】
【補正対象書類名】明細書
【補正対象項目名】００１５
【補正方法】変更
【補正の内容】
【００１５】
また、上記の状態矯正ユニットにおいて、現在の着座姿勢のままで安定させるよう前記動作部を動作させる安楽補正モードと、現在の着座姿勢を理想姿勢になるように矯正するよう前記動作部を動作させる理想補正モードと、が設定されていて、前記情報表示部は、前記動作部を安楽補正モードで動作させるか、又は、理想補正モードで動作させるかを選択可能なボタンを前記画面に表示するとよい。
【手続補正９】
【補正対象書類名】明細書
【補正対象項目名】００１６
【補正方法】変更
【補正の内容】
【００１６】
また、上記の状態矯正ユニットにおいて、前記情報表示部は、理想姿勢と前記身体状態の矯正内容とを示す情報を前記画面に表示すると、好適である。
【手続補正１０】
【補正対象書類名】明細書
【補正対象項目名】００１７
【補正方法】変更
【補正の内容】
【００１７】
また、上記の状態矯正ユニットにおいて、前記動作部は、前記着座者の身体状態を矯正するために膨出して前記着座者を押圧する複数の空気袋からなり、前記身体状態の矯正内容を示す矯正プランを記憶しているプラン記憶部と、前記動作部を制御して前記身体状態を矯正する処理を実行する処理実行部と、前記複数の空気袋の各々の膨出圧を測定する膨出圧センサと、前記複数の空気袋の各々の前面に設置され、前記乗物用シートに掛る圧力を測定する圧力センサと、を有し、前記複数の空気袋の各々は、前記乗物用シートに前記着座者が着座する前段階において、予め設定された膨出圧となるまで膨出し、前記測定部は、前記膨出圧センサにより、前記乗物用シートに前記着座者が着座することで変化する前記膨出圧を前記指標として前記膨出圧の前記現在値を測定し、前記測定部は、前記圧力センサにより、前記乗物用シートに前記着座者が着座することで変化する前記圧力を前記指標として前記圧力の前記現在値を測定し、前記判定部は、前記複数の前記空気袋の各々における前記膨出圧の前記現在値と、前記乗物用シートに掛る前記圧力の前記現在値とから前記身体状態を判定し、前記提示部は、前記現在値に応じた前記矯正プランを前記プラン記憶部から読み出して前記着座者に対して提示し、前記処理実行部は、読み出した前記矯正プランが示す前記矯正内容に従って、前記身体状態を矯正する前記処理を実行すると、より一層好適である。
上記の構成では、空気袋を用いてシート着座者の身体状態を矯正する。また、上記の構成では、シート着座者の身体状態に関する測定として、着座により変化する空気袋の膨出圧の現在値を測定する。すなわち、上記の構成では、空気袋が矯正用に用いられると共に身体状態の測定用にも用いられており、これにより、空気袋をより有効に活用することが可能となる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】